(57)【特許請求の範囲】
【請求項１】
箱本体と蓋体とを備え、
箱本体は、
矩形状の底板と、
底板の前縁に連設された前板と、
底板の後縁に連設された後板と、
前板及び後板の両側縁に夫々連設された舌片と、
底板の両側縁に連設された一対の外側板と、
外側板の先端に連設された橋部と、
橋部の先端に連設された内側板と、
外側板に設けられた差込部と、
を備え、
前板及び後板は底板に対して上方へ直角に折り曲げられ、
舌片は前板及び後板に対して内方へ直角に折り曲げられ、
外側板は底板に対して上方へ直角に折り曲げられ、
橋部は外側板に対して内方へ直角に折り曲げられ、
内側板は橋部に対して下方へ直角に折り曲げられて構成され、
外側板と内側板との間に舌片が挟まれることにより、前板及び後板が倒れることを防止し、
蓋体は、
矩形状の天板と、
天板の前縁に連設された前蓋と、
天板の後縁に連設された後蓋と、
前蓋及び後蓋の両側縁に夫々連設された差込片と、
天板の両側縁に連設された一対の側蓋と、
側蓋の先端部の中央に設けられた突片と、
側蓋の先端部に前記突片と前後方向に間隔を存して設けられた一対の押え片と、
を備え、
側蓋を天板に対して下方へ直角に折り曲げると共に、突片を差込部に差し込むように構成されることで、側蓋及び押え片が外側板の外側に係止され、
前蓋及び後蓋を天板に対して下方へ直角に折り曲げると共に、差込片を外側板と舌片との間に差し込むように構成されることで、前蓋及び後蓋が前板及び後板の外側に係止されることを特徴とする包装箱。
【請求項２】
請求項１に記載の包装箱であって、
前記突片は、先端に向かうに従って次第に幅が狭くなるように構成されることを特徴とする包装箱。
【請求項３】
請求項１又は請求項２に記載の包装箱であって、
前記外側板には、前記舌片の外側を露出させる窓部が設けられることを特徴とする包装箱。
【発明の詳細な説明】
【技術分野】
【０００１】
本発明は、包装箱に関する。
【背景技術】
【０００２】
従来、上方が開口する箱本体と、箱本体の開口部を閉塞する蓋体とを備える包装箱が知られている（例えば、特許文献１参照）。特許文献１の箱本体は、矩形状の底板と、底板の前縁から折目線を介して起立する前板と、底板の後縁から折目線を介して起立する後板と、底板の左右の側縁から折目線を介して夫々起立する一対の側板とを備える。
【０００３】
一対の側板は、前板及び後板よりも低く形成されている。前板及び後板の左右の両側縁には、折目線を介して横フラップが夫々設けられている。横フラップは、折目線を介して前板又は後板に対して内側へ直角に折り曲げられ、接着剤などで側板の内面に接合されている。
【０００４】
前板及び後板の上縁には、折目線を介して内側へ直角に折り曲げられる上フラップが夫々設けられている。
【０００５】
蓋体は、底板と略同一形状の天板と、天板の側縁から折目線を介して垂下する蓋フラップとを備える。蓋フラップの高さは、側板と前板又は後板の高さの差と同一又はそれ以下に形成されている。また、蓋フラップの下端には、横フラップの間に位置させて側板の内側に差し込まれる差込片が設けられている。
【０００６】
上フラップは接着剤によって天板の内面に張り付けられる。
【先行技術文献】
【特許文献】
【０００７】
【特許文献１】実開昭５７−１５９６２０号公報
【発明の概要】
【発明が解決しようとする課題】
【０００８】
従来の包装箱では、上フラップと天板とが接着剤によって張り付けられるため、包装箱の中身（製品）を確認できないという問題がある。上フラップと天板とを接着しないことも考えられるが、この場合、蓋体が容易に箱本体から脱落してしまうため、包装箱を持ち上げようとして誤って蓋体の蓋フラップの部分のみを掴み、箱本体が落下して包装箱内の製品が崩れ落ちてしまう虞もある。
【０００９】
本発明は、以上の点に鑑み、中身を容易に確認でき、且つ蓋体を箱本体にしっかりと係合することができる包装箱を提供することを目的とする。
【課題を解決するための手段】
【００１０】
上記目的を達成するため、本発明は、箱本体と蓋体とを備え、箱本体は、矩形状の底板と、底板の前縁に連設された前板と、底板の後縁に連設された後板と、前板及び後板の両側縁に夫々連設された舌片と、底板の両側縁に連設された一対の外側板と、外側板の先端に連設された橋部と、橋部の先端に連設された内側板と、外側板に設けられた差込部と、を備え、前板及び後板は底板に対して上方へ直角に折り曲げられ、舌片は前板及び後板に対して内方へ直角に折り曲げられ、外側板は底板に対して上方へ直角に折り曲げられ、橋部は外側板に対して内方へ直角に折り曲げられ、内側板は橋部に対して下方へ直角に折り曲げられて構成され、外側板と内側板との間に舌片が挟まれることにより、前板及び後板が倒れることを防止し、蓋体は、矩形状の天板と、天板の前縁に連設された前蓋と、天板の後縁に連設された後蓋と、前蓋及び後蓋の両側縁に夫々連設された差込片と、天板の両側縁に連設された一対の側蓋と、側蓋の先端部の中央に設けられた突片と、側蓋の先端部に前記突片と前後方向に間隔を存して設けられた一対の押え片と、を備え、側蓋を天板に対して下方へ直角に折り曲げると共に、突片を差込部に差し込むように構成されることで、側蓋及び押え片が外側板の外側に係止され、前蓋及び後蓋を天板に対して下方へ直角に折り曲げると共に、差込片を外側板と舌片との間に差し込むように構成されることで、前蓋及び後蓋が前板及び後板の外側に係止されることを特徴とする。
【００１１】
かかる構成によれば、差込片が外側板と舌片との間に差し込まれているため、蓋体が箱本体にしっかりと係合される。また、側蓋の突片は差込部に差し込まれているだけであるため、差込片を外側板と舌片との間から引き抜くだけで、蓋体と箱本体との係合を容易に解除することができる。従って、本発明の包装箱によれば、中身（例えば、種類や賞味期限など）を容易に確認でき、且つ蓋体を箱本体にしっかりと係合することができる。
【００１２】
また、本発明においては、突片を、先端に向かうに従って次第に幅が狭くなるように構成することが好ましい。かかる構成によれば、前後一方側の差込片を外側板と舌片との間から引き抜くだけで、前後他方側の差し込み片を外側板と舌片との間に差し込んだままの状態でも、突片の側縁が差込部の端部に引っ掛かることなく、蓋体を傾斜させながら持ち上げるようにして箱本体内の中身を確認することができる。
【００１３】
また、本発明においては、外側板に、舌片の外側を露出させる窓部を設けることが好ましい。かかる構成によれば、差込片を外側板と舌片との間に差し込むときに、窓部から露出する舌片に差込片を沿わせるようにして、差込片を外側板と舌片との間に容易に差し込むことができる。
【図面の簡単な説明】
【００１４】
【図１】本発明の包装箱の実施形態を示す斜視図。
【図２】本実施形態の箱本体の展開図。
【図３】本実施形態の蓋体の展開図。
【図４】本実施形態の包装箱の分解図。
【図５】本実施形態の蓋体を箱本体に係合させる第１段階を示す斜視図。
【図６】本実施形態の蓋体を箱本体に係合させる第２段階を示す斜視図。
【図７】本実施形態の包装箱の中身を確認する状態を示す斜視図。
【発明を実施するための形態】
【００１５】
図１に示すように、本発明の実施形態の包装箱１は、一枚の段ボール板紙を折り曲げて構成される箱本体２と、一枚の段ボール板紙で構成される蓋体３とからなる。
【００１６】
図２の箱本体２の展開図を参照して、箱本体２の組み立て方法を説明する。図２に示すように、箱本体２は矩形状（略正方形状）の底板４を備える。なお、底板４は長方形状に形成してもよい。底板４の前縁には、折目線Ｌ１を介して長方形状の外前板５が連設されている。
【００１７】
外前板５の前端には、折目線Ｌ２を介して外前板５と同一幅の肩部６が連設されている。肩部６の前端には、折目線Ｌ３を介して内前板７が連設されている。内前板７は、肩部６よりも段ボール板紙の板厚の２倍分だけ幅が小さく形成されている。
【００１８】
外前板５は折目線Ｌ１を介して上方へ直角に折り曲げられる。肩部６は折目線Ｌ２を介して内側へ直角に折り曲げられる。内前板７は、折目線Ｌ３を介して下方へ直角に折曲られる。
【００１９】
外前板５の両側縁には、折目線Ｌ４を介して外舌片５ａが夫々連設されている。外舌片５ａは折目線Ｌ４を介して内側へ直角に折り曲げられる。内前板７の両側縁には、折目線Ｌ５を介して内舌片７ａが夫々連設されている。内舌片７ａは折目線Ｌ５を介して内側へ直角に折り曲げられる。また、内前板７の両側縁部には、Ｌ字状に切り欠かれた切欠部７ｂが夫々設けられている。
【００２０】
底板４の後縁には、折目線Ｌ６を介して長方形状の外後板８が連設されている。外後板８の後縁には、折目線Ｌ７を介して肩部９が連設されている。肩部９の後縁には、折目線Ｌ８を介して内後板１０が連設されている。外後板８は折目線Ｌ６を介して上方へ直角に折り曲げられる。肩部９は折目線Ｌ７を介して内側へ直角に折り曲げられる。内後板１０は折目線Ｌ８を介して下方へ直角に折り曲げられる。
【００２１】
外後板８の両側縁には、折目線Ｌ９を介して外舌片８ａが夫々連設されている。外舌片８ａは折目線Ｌ９を介して内側へ直角に折り曲げられる。内後板１０の両側縁には、折目線Ｌ１０を介して内舌片１０ａが夫々連設されている。内舌片１０ａは折目線Ｌ１０を介して内側へ直角に折り曲げられる。また、内後板１０の両側縁部には、Ｌ字状に切り欠かれた切欠部１０ｂが夫々設けられている。
【００２２】
底板４の左右の側縁には、折目線Ｌ１１を介して一対の外側板１１が連設されている。外側板１１は折目線Ｌ１１を介して上方へ直角に折り曲げられる。外側板１１には、中央に位置させて中央の山部分の幅を広くした略Ｗ字状のスリット１１ａが設けられている。このスリット１１ａが本発明の差込部に該当する。また、外側板１１の両側縁部には、Ｊ字状に切り欠かれた窓部１１ｂが設けられている。
【００２３】
各外側板１１の先端には、折目線Ｌ１２を介して橋部１２が連設されている。橋部１２は折目線Ｌ１２を介して内側へ直角に折り曲げられる。橋部１２の先端には、折目線Ｌ１３を介して内側板１３が夫々連設されている。
【００２４】
内側板１３は折目線Ｌ１３を介して下方へ直角に折り曲げられる。一対の内側板１３の左右の両側縁には、内前板７の切欠部７ｂ及び内後板１０の切欠部１０ｂに差し込まれる突部１３ａが夫々設けられている。
【００２５】
図３は蓋体３の展開図を示している。蓋体３は、底板４と略同形状の天板３１を備える。天板３１の前縁には折目線Ｌ３１を介して前蓋３２が連設されている。前蓋３２の左右の両側縁には、折目線Ｌ３２を介して差込片３３が夫々設けられている。
【００２６】
天板３１の後縁には折目線Ｌ３３を介して後蓋３４が連設されている。後蓋３４の左右の両側縁には、折目線Ｌ３４を介して差込片３５が夫々連設されている。
【００２７】
天板３１の左右の両側縁には、折目線Ｌ３５を介して一対の側蓋３６が夫々連設されている。側蓋３６の先端縁には、前後方向に間隔を存して一対の切欠部３７が夫々設けられている。この切欠部３７によって、側蓋３６の先端部の中央に突片３８が形成され、且つ側蓋３６の先端部の両側縁部に一対の押え片３９が形成される。突片３８は先端に向かうに従って次第に幅が狭くなるように形成されている。
【００２８】
箱本体２を蓋体３で蓋をするには、まず、図４に示すように、蓋体３を箱本体２の上方に配置する。そして、図５に示すように、一対の側蓋３６を折目線Ｌ３５を介して下方へ直角に折り曲げながら、各突片３８を対応するスリット１１ａに挿入する。そして、図６に示すように、前蓋３２を折目線Ｌ３１を介して下方へ直角に折り曲げながら、差込片３３を外側板１１と外舌片５ａとの間に挿入する。
【００２９】
このとき、外側板１１の両側縁には、Ｊ字状の窓部１１ｂが設けられているため、外舌片５ａの外面が露出している。これにより、差込片３３を外舌片５ａの外面に沿わせるようにして容易に外側板１１と外舌片５ａとの間に挿入することができる。
【００３０】
同様にして、後蓋３４を折目線Ｌ３３を介して下方へ直角に折り曲げながら、差込片３５を外側板１１と外舌片８ａとの間に挿入する。このときも窓部１１ｂにより、差込片３５を外舌片８ａの外面に沿わせるようにして容易に外側板１１と外舌片８ａとの間に容易に挿入することができる。
【００３１】
また、本実施形態の包装箱１では、突片３８が先端に向かって次第に幅が狭くなるように構成されており、図７に示すように、一方（図７では前側）の差込片３３（又は３５）を外側板１１と外舌片５ａ（又は８ａ）との間から引き抜くだけで、突片３８がスリット１１ａの端縁に引っ掛かることなく、他方（図７では後側）の差込片３５（又は３３）を外側板１１と外舌片８ａ（又は５ａ）に差し込んだままの状態で、天板３１を傾斜させて箱本体２の中に収容される製品を容易に確認することができる。
【００３２】
従って、例えば、包装箱１内に贈答用の缶コーヒーなどの飲食物（製品）を収容する場合においては、包装箱１内に収容された中身（製品）の賞味期限を流通業者が確認したい要望があり、本実施形態の包装箱１によれば、図７に示すように、中身の確認を容易に行うことができる。
【００３３】
また、本実施形態の包装箱１によれば、蓋体３の差込片３３，３５が外側板１１と外舌片５ａ，８ａとの間に挿入されるため、蓋体３と箱本体２とを接着材などで固定しなくても、蓋体３を箱本体２にしっかりと係合させることができる。これにより、誤って蓋体３のみを掴んで持ち上げようとしても蓋体３から箱本体２が脱落することを防止できる。
【００３４】
また、差込片３３，３５は、外舌片５ａ，８ａ、内舌片７ａ，１０ａを押える為の外側板１１と橋部１２と内側板１３とで画成される空間に挿入される。従って、差込片３３，３５を差し込むためのスリットを別途箱本体２に設ける必要がなく、包装箱１の構成を簡略化することができる。
【００３５】
また、中身を確認する際には、前後両方の差込片３３，３５を外側板１１と外舌片５ａ，８ａとの間から引き抜いて中身を確認することもできる。これによっても、図７で説明した方法よりは面倒であるものの従来よりも容易に内容物を確認することができる。
【００３６】
なお、本実施形態においては、突片３８を先端に向かって次第に幅が狭くなるように構成したものを説明した。しかしながら、本発明の突片３８はこれに限らず、突片の基端から先端までの幅を同一に構成してもよい。これによっても、前後両方の差込片３３，３５を外側板１１と外舌片５ａ，８ａとの間から引き抜けば中身を容易に確認することができるという本発明の効果を得ることができる。
【００３７】
また、差込片３３，３５を外側板１１と外舌片５ａ，８ａとの間に挿入し難くなるものの、本実施形態の外側板１１の両側縁に設けたＪ字状の窓部１１ｂは省略してもよい。これによっても、中身を容易に確認でき、且つ蓋体を箱本体にしっかりと係合することができるという本発明の作用効果を得ることができる。
【００３８】
また、箱本体２の上縁の外観が低下するものの、肩部６、内前板７、内舌片７ａ、肩部９、内後板１０、内舌片１０ａは省略してもよい。
【符号の説明】
【００３９】
１  包装箱
２  箱本体
３  蓋体
４  底板
５  外前板
５ａ  外舌片
６  肩部
７  内前板
７ａ  内舌片
７ｂ  切欠部
８  外後板
８ａ  外舌片
９  肩部
１０  内後板
１０ａ  内舌片
１０ｂ  切欠部
１１  外側板
１１ａ  スリット（差込部）
１１ｂ  窓部
１２  橋部
１３  内側板
１３ａ  突部
３１  天板
３２  前蓋
３３  差込片
３４  後蓋
３５  差込片
３６  側蓋
３７  切欠部
３８  突片
３９  押え片
Ｌ１〜Ｌ３５  折目線
【図１】
0006321575.tif 000002
【図２】
0006321575.tif 000003
【図３】
0006321575.tif 000004
【図４】
0006321575.tif 000005
【図５】
0006321575.tif 000006
【図６】
0006321575.tif 000007
【図７】
0006321575.tif 000008